(57)【要約】      （修正有）【課題】ドアノブやドアシリンダーの何れにも装着可能で、ピッキング犯罪を防止するピッキング防止装置を提供する。【解決手段】ドアノブのくび部またはドアシリンダーのカラーとドアとの隙間に係止するＵ字孔が形成された正面視略円形状の係止プレートと、有底の半円筒状に形成され、一端側の底部にロック孔が開口し、ロック孔側内周にヘッドプレート取付溝が周方向に複数形成されると共に、反ロック孔側端部内周に係止プレートが取り付く１本の係止プレート取付溝が周方向に形成されたロックベースと、ヘッドプレート取付溝に取り付く１枚の円形状のヘッドプレートと、ロックベースに外嵌され、ロック穴に係脱自在なロック手段が装着された有底筒状のロックカバーとからなり、ヘッドプレート取付溝へのヘッドプレートの取付位置を選択可能とした。【選択図】図１
0003128791.tif 000002
【実用新案登録請求の範囲】
【請求項１】
ドアノブのくび部またはドアシリンダーのカラーとドアとの隙間に係止するＵ字孔が形成された正面視略円形状の係止プレートと、
有底の半円筒状に形成され、一端側の底部にロック孔が開口し、ロック孔側内周にヘッドプレート取付溝が周方向に複数形成されると共に、反ロック孔側端部内周に、前記係止プレートが取り付く１本の係止プレート取付溝が周方向に形成されたロックベースと、
前記ヘッドプレート取付溝に取り付く１枚の円形状のヘッドプレートと、
前記ロックベースに外嵌され、前記ロック穴に係脱自在なロック手段が装着された有底筒状のロックカバーとからなり、
前記ドアノブの握玉またはドアシリンダーのカラーの幅寸法に応じ、ヘッドプレート取付溝へのヘッドプレートの取付位置を選択可能としたことを特徴とするピッキング防止装置。
【請求項２】
前記係止プレートは、ドアノブのくび部の太さに応じＵ字孔の大きさを変えて複数種用意されていることを特徴とする請求項１に記載のピッキング防止装置。
【請求項３】
ドアシリンダーとドアノブが正面視矩形状の基台に別個に装着されてドアに取り付く仕様に対し、
ドアノブのくび部に係止する前記係止プレートは、前記ドアシリンダーを覆うカバー体が一体形成され、
前記ロックカバーの反ロック手段側端部に、前記カバー体が嵌入する凹状の切欠きが設けられていることを特徴とする請求項１または請求項２に記載のピッキング防止装置。
【請求項４】
前記切欠き内に突片が形成されると共に、前記カバー体に、前記突片の挿入孔が設けられていることを特徴とする請求項３に記載のピッキング防止装置。
【考案の詳細な説明】
【技術分野】
【０００１】
本考案はピッキング防止装置に関し、詳しくはドアノブやドアシリンダーに装着することで、鍵穴を隠してピッキング等の鍵穴を狙った犯罪を防止するピッキング防止装置に関する。
【背景技術】
【０００２】
ピッキング被害の防止対策として、今日、様々な手段が提案されているが、その一つの手段として、特許文献１に開示されるように、錠前の付いているドアノブに鍵穴を覆うカバーを取り付けてピッキングを防止するドアノブ用ピッキング防止装置や、特許文献２に開示されるように、ドアノブと独立してドアに装着されたドアシリンダー（シリンダー錠）にカバーを取り付けて鍵穴を覆うシリンダー錠用ピッキング防止装置等が知られている。
【０００３】
また、特許文献３には、図１９の如く錠前１の付いているドアノブ３と、図２０の如くドアノブ５とは別の位置にドアシリンダー７が取り付くものに兼用できるピッキング防止装置として、図２１に示すようにドアノブ３，５を外覆する形状を模った有底円筒部９と、ドアノブ３，５のくび部１１を覆う円筒１３と、この円筒１３に一体形成された円盤１５とからなるカバー１７を２分割し、有底円筒部９の略中心適所に設けられたヒンジ部を形成するピン１９の頭をカシメることにより、カバー１７を開閉回動自在に枢支したピッキング防止装置２１が開示されている。
【０００４】
而して、このピッキング防止装置２１によれば、図１９のドアノブ３に取り付くことは勿論、図２０のドアノブ５を中心にドアシリンダー７を円盤１５で覆って、くび部１１を覆う円筒１３に設けた一対の舌片２３の孔２５に南京錠等を施錠すると、ドアシリンダー７を円盤１５で覆った状態でカバー１７がドアノブ５に取り付くこととなる。
そして、ドアシリンダー７を覆っている円盤１５をバール等で折り曲げてドアシリンダー７を開放してピッキングしても、ドアノブ５を覆う有底円筒部９がドアノブ５に対して空転するため、結果的にドアノブ５自体が回動できずにドア２７を開放することができない。
【特許文献１】特開２００４−２１８３９８号公報
【特許文献２】特開２００３−１２００８２号公報
【特許文献３】特開２００２−２２７４６９号公報
【考案の開示】
【考案が解決しようとする課題】
【０００５】
しかし乍ら、特許文献１に開示されたドアノブ用ピッキング防止装置は、錠前の付いているドアノブにしか使用できず、同様に特許文献２に開示されたシリンダー錠用ピッキング防止装置は、ドアノブと独立してドアに設置されたドアシリンダーにしか使用することができず、例えば建物を改装してドアノブが図１９から図２０の仕様に代わると、いままで使用していたドアノブ用ピッキング防止装置が使用できなくなり、新たにシリンダー錠用ピッキング防止装置を購入し直さなければならない等の不具合があった。
【０００６】
一方、既述したように図２１に示すピッキング防止装置２１は、図１９の如く錠前１の付いているドアノブ３と、図２０の如くドアノブ５とは別の位置にドアシリンダー７が取り付くものに兼用できるため、上述の如き不具合が発生することはない。
しかし、ドアノブは仕様に応じ握玉やくび部の寸法や形状が異なるため、例えばドアノブに取り付けたカバー１７がドアノブの寸法に対応できずに前後方向にガタ付きが生じて、ドアシリンダーを円盤１５で確実に覆うことができなかったり、くび部の径や寸法に前記円筒１３が合わずに、ピッキング防止装置を購入し直さなければならない等の欠点が指摘されていた。
【０００７】
本考案は斯かる実情に鑑み案出されたもので、ドアノブやドアシリンダーの何れにも装着可能で、ドアノブの様々な仕様に応じ、ガタ付きなく確実にピッキング犯罪を防止することのできるピッキング防止装置を提供することを目的とする。
【課題を解決するための手段】
【０００８】
斯かる目的を達成するため、請求項１に係るピッキング防止装置は、ドアノブのくび部またはドアシリンダーのカラーとドアとの隙間に係止するＵ字孔が形成された正面視略円形状の係止プレートと、有底の半円筒状に形成され、一端側の底部にロック孔が開口し、ロック孔側内周にヘッドプレート取付溝が周方向に複数形成されると共に、反ロック孔側端部内周に、前記係止プレートが取り付く１本の係止プレート取付溝が周方向に形成されたロックベースと、前記ヘッドプレート取付溝に取り付く１枚の円形状のヘッドプレートと、前記ロックベースに外嵌され、前記ロック穴に係脱自在なロック手段が装着された有底筒状のロックカバーとからなり、前記ドアノブの握玉またはドアシリンダーのカラーの幅寸法に応じ、ヘッドプレート取付溝へのヘッドプレートの取付位置を選択可能としたことを特徴とする。
【０００９】
そして、請求項２に係る考案は、請求項１に記載のピッキング防止装置に於て、前記係止プレートは、ドアノブのくび部の太さに応じＵ字孔の大きさを変えて複数種用意されていることを特徴とし、請求項３に係る考案は、請求項１または請求項２に記載のピッキング防止装置に於て、ドアシリンダーとドアノブが正面視矩形状の基台に別個に装着されてドアに取り付く仕様に対し、ドアノブのくび部に係止する前記係止プレートは、前記ドアシリンダーを覆うカバー体が一体形成され、前記ロックカバーの反ロック手段側端部に、前記カバー体が嵌入する凹状の切欠きが設けられていることを特徴とする。
【００１０】
更に、請求項４に係る考案は、請求項３に記載のピッキング防止装置に於て、前記切欠き内に突片が形成されると共に、前記カバー体に、前記突片の挿入孔が設けられていることを特徴としている。
【考案の効果】
【００１１】
請求項１に係る考案によれば、錠前の装着されたドアノブやドアノブと別の位置に取り付くドアシリンダーの何れにも、一つのピッキング防止装置をガタ付きなく取り付けることができ、ピッキング犯罪を一つのピッキング防止装置で確実に防止することができる利点を有する。
そして、請求項２に係る考案によれば、握玉やくび部の寸法や形状が異なる様々な仕様のドアノブや、カラーの寸法等の異なるドアシリンダーにも対応することができ、請求項３に係る考案によれば、ドアシリンダーとドアノブが正面視矩形状の基台に別個に装着されてドアに取り付く公団（都市基盤整備公団）や都道府県の住宅供給公社等の賃貸住宅の仕様にも対応可能で、請求項４に係る考案によれば、ドアノブにピッキング防止装置を取り付けた際に突片が上方からの視線を遮るため、無駄な間隙が無くなって使用者に安心感を与えることができる利点を有する。
【考案を実施するための最良の形態】
【００１２】
以下、本考案の実施形態を図面に基づいて詳細に説明する。
図１はドアノブに取り付く請求項１乃至請求項４の一実施形態に係るピッキング防止装置の断面図を示し、図中、３１はドア３３に取り付けられたドアノブで、図１９のドアノブ３と同様、ドアノブ３１には錠前（図示せず）が装着されている。
そして、ドアノブ３１のくび部３５に、本実施形態に係るピッキング防止装置３７のノブプレート（係止プレート）３９が係止している。
【００１３】
図２及び図３に示すようにノブプレート３９は、正面視円形状の薄肉な金属製の板材に、前記くび部３５に係止可能なＵ字孔４１を設けた左右対象な形状をなしている。
また、既述したようにドアノブは仕様に応じ握玉やくび部の寸法や形状が異なるため、図４及び図５に示すように本実施形態は、前記ノブプレート３９に加え、前記くび部３５より細いドアノブのくび部に係止させるために、ノブプレート３９と同一外径，同一肉厚で、Ｕ字孔４３の幅と深さを短く設定したノブプレート（係止プレート）４５の２種類を用意している。
【００１４】
尚、図５の如くノブプレート４５のＵ字孔４３の開口側端部４５ａは、先端に向かって順次薄肉とされている。
そして、前記ノブプレート３９を介してドアノブ３１に、ロックベース４７が取り付けられている。
図１，図６乃至図８に示すようにロックベース４７は有底の半円筒状に形成され、その端部側の突片（底部）４９に、円形状のロック孔５１がロックベース４７の中心軸上に設けられている。
【００１５】
そして、ロックベース４７のロック孔５１側内周に、後述するヘッドプレート５３が取り付くヘッドプレート取付溝５５が、所定の間隔を空けて周方向に複数形成されており、ドアノブ３１の握玉５７や後述するドアシリンダーのカラーの幅寸法（厚み）等に応じて、ヘッドプレート取付溝５５へのヘッドプレート５３の取付位置が選択できるようになっている。
【００１６】
更に、図示するようにロックベース４７の反ロック孔５１側端部内周には、前記ノブプレート３９，４５が取り付く１本のノブプレート取付溝（係止プレート取付溝）５９が周方向に形成されている。
そして、図９及び図１０に示すように、前記ヘッドプレート取付溝５５に取り付くヘッドプレート５３は正面視円形状の金属製の板材からなり、その裏面側に、スポンジやネオプレンゴム等で形成された保持部材６１が貼着されている。そして、ドアノブ３１の握玉５７やドアシリンダーのカラーの幅寸法に応じてヘッドプレート５３をヘッドプレート取付溝５５に取り付けると、保持部材６１が握玉５７やカラーの頂部に当接するようになっている。
【００１７】
ロックベース４７，ノブプレート３９，４５及びヘッドプレート５３はこのように構成されているから、図１に示すようにドアノブ３１のくび部３５にＵ字孔４１を係止してノブプレート３９をくび部３５に取り付けた後、ドアノブ３１を覆うように近づけたロックベース４７のノブプレート取付溝５９にノブプレート３９を差し込み、次いでドアノブ３１の握玉５７の幅寸法に応じ、ヘッドプレート取付溝５５へのヘッドプレート５３の取付位置を選択してヘッドプレート５３をヘッドプレート取付溝５５に差し込むと、ヘッドプレート５３とノブプレート３９とでドアノブ３１の握玉５７を挟持してロックベース４７がドアノブ３１に取り付き、ヘッドプレート５３の裏面側の保持部材６１が握玉５７の頂部に当接してロックベース４７のガタ付きを防止する。
【００１８】
また、図１の二点鎖線で示すように、仕様の異なるドアノブ３１-1の握玉５７-1の幅寸法に応じてヘッドプレート５３の取付位置を変更したり、図示しないがくび部の細いドアノブには、前記ノブプレート３９に代え、図４のノブプレート４５を用いることで、ロックベース４７をドアノブ３１-1等に取り付けることができるようになっている。
そして、図１に示すように前記ロックベース４７に、ロックカバー６３が外嵌している。
【００１９】
図１，図１１乃至図１３に示すようにロックカバー６３は、ロックベース４７に外嵌可能な有底筒状に形成され、その頂部に設けた平面視円形状の凹部６５内に、図示しないダイアル式のロック機構（ロック手段）を備えたダイアルつまみ６７が装着されている。そして、ダイアルつまみ６７の上部にロック機構のダイアル６９が露出している。
ダイアル式のロック機構は、例えばアタッシュケースや旅行鞄等のロック手段として従来周知のもので、ダイアルの回転によって係止爪の移動を規制する構造となっており、図１に示すように本実施形態では、一対の係止爪７１が、ダイアルつまみ６７の底部から突出するダイアルシャフト７３の周壁に１８０°の間隔を空けて弾性的に装着されている。
【００２０】
そして、図１の如くロックカバー６３をロックベース４７に外嵌させると、ダイアルシャフト７３が前記ロック孔５１に挿入されて係止爪７１がロック孔５１に係止するようになっており、ダイアルつまみ６７を回してダイアル６９を操作すると、係止爪７１の移動が規制されてロック機構がロックされる。
また、図１２に示すようにロックカバー６３の反ロック機構側端部には、図１７で後述するカバー体７９が嵌入する切欠き７７が周方向に形成されると共に、当該切欠き７７内の中央に、カバー体７９に設けた正面視円弧状の挿入孔８１に沿った突片８３が突設されている。
【００２１】
その他、図１１に於て、８５は前記凹部６５の底部に設けたダイアルシャフト挿通孔、８７はダイアルシャフト挿通孔８５を挟んで設けたダイアルつまみ６７のガイド孔で、このガイド孔８７に、ダイアルつまみ６７に設けた図示しない止着ピン等が挿着されて、ダイアルつまみ６７の抜止め防止が図られている。
そして、本実施形態に係るピッキング防止装置３７は、錠前が装着された前記ドアノブ３１，３１-1のみならず、図２０の如くドアにドアシリンダーがドアノブとは別の位置に取り付く仕様にも対応可能で、図１４に示すように、昨今、この種のドアシリンダー８９の多くは、カラー９１が持ち上がってドア９３との間に隙間Ｓが空く構造のものが広く使用されている。
【００２２】
そこで、本実施形態は、既述したノブプレート３９，４５に加え、図１５及び図１６に示すようにこれらと同一外径，同一肉厚で、隙間Ｓ内のドアシリンダー８９のシリンダー部９５に係止可能なＵ字孔９７を有するシリンダープレート（係止プレート）９９が、更に用意されている。
そして、図１４に示すようにカラー９１を持ち上げて、ドア９３との間に生じた隙間Ｓ内のシリンダー部９５にＵ字孔９７を係止してシリンダープレート９９をシリンダー部９５に取り付けた後、カラー９１を覆うように近づけたロックベース４７のノブプレート取付溝５９にシリンダープレート９９を差し込み、以下、図１と同様の操作によって、ドアシリンダー８９のカラー９１にピッキング防止装置３７が取り付くようになっている。
【００２３】
更にまた、本実施形態のピッキング防止装置３７は、公団（都市基盤整備公団）や都道府県の住宅供給公社等の賃貸住宅に広く使用されているドアのピッキング対策にも対応可能である。
即ち、今日、これらの賃貸住宅では、図１７及び図１８の二点鎖線で示すように、ドアシリンダー１０１とドアノブ１０３が正面視矩形状の厚肉な基台７５に別個に装着されてドア１０４に取り付けられた構造が使用されている。
【００２４】
そこで、本実施形態は、既述したノブプレート３９，４５とシリンダープレート９９に加え、更に図１７，図１８に示すノブプレート（係止プレート）１０５が用意されている。
図示するようにノブプレート１０５は、ドアノブ１０３のくび部１０７に係止可能なＵ字孔１０９を有し、その外周に前記ノブプレート取付溝５９に取り付け可能な円弧部１１１が形成されて前記ノブプレート４５と略同一形状とされているが、ノブプレート１０５の反Ｕ字孔１０９側には、ドアシリンダー１０１を覆う正面視矩形状のカバー体７９が一体形成されており、ドアノブ１０３のくび部１０７にＵ字孔１０９を係止させると、カバー体７９がドアシリンダー１０１を覆って、カバー体７９の周縁部に設けたフランジ部１１３が基台７５の周縁部に被さるようになっている。
【００２５】
そして、カバー体７９には、ロックカバー６３の切欠き７７内に設けた突片８３の挿入孔８１が円弧状に形成されており、ドアシリンダー１０１をカバー体７９で覆い乍ら、前記くび部１０７にＵ字孔１０９を係止してノブプレート１０５をくび部１０７に取り付けた後、ドアノブ１０３を覆うように近づけたロックベース４７のノブプレート取付溝５９にノブプレート１０５を差し込み、以下、図１と同様の操作によって、ドアノブ１０３にピッキング防止装置３７が取り付くようになっている。
【００２６】
このとき、ロックカバー６３の突片８３がカバー体７９の挿入孔８１に挿入して、ロックカバー６３の切欠き７７内にカバー体７９が嵌入し、突片８３が上方からの視線を遮るようになっている。
本実施形態に係るピッキング防止装置３７はこのように構成されているから、図１の如くドアノブ３１にピッキング防止装置３７を取り付けるには、既述したように、先ず、ドアノブ３１のくび部３５にＵ字孔４１を係止してノブプレート３９をくび部３５に取り付け、ドアノブ３１を覆うように近づけたロックベース４７のノブプレート取付溝５９にノブプレート３９を差し込む。そして、ドアノブ３１の握玉５７の幅寸法に応じて選択したヘッドプレート取付溝５５にヘッドプレート５３を差し込めば、ヘッドプレート５３とノブプレート３９とでドアノブ３１の握玉５７を挟持してロックベース４７がドアノブ３１に取り付き、ヘッドプレート５３の裏面側の保持部材６１が握玉５７の頂部に当接してロックベース４７のガタ付きを防止する。
【００２７】
そして、前記ロックベース４７にロックカバー６３が外嵌させると、ダイアルシャフト７３がロック孔５１に挿入されて係止爪７１がロック孔５１に係止するので、この後、ダイアルつまみ６７を回してダイアル６９を操作すれば、係止爪７１の移動が規制されてロック機構がロックされ、ドアノブ３１の錠前がピッキング防止装置３７によって塞がれることとなる。
【００２８】
而して、既述したようにドアノブ３１の握玉５７を挟持するヘッドプレート５３の保持部材６１が握玉５７の頂部に当接してロックベース４７のガタ付きを防止するため、ピッキング防止装置３７全体のガタ付きも併せて防止される。
そして、ロック解除の番号にダイアル６９を操作すれば、係止爪７１の移動規制が解除されるため、ダイアルつまみ６７を戻してロックカバー６３がロックベース４７から取り外すことができる。
【００２９】
また、図１の二点鎖線で示すように、握玉５７-1の幅寸法の異なるドアノブ３１-1にピッキング防止装置３７を取り付けるには、握玉５７-1の幅寸法に応じてヘッドプレート５３の取付位置を変更すればよいし、図示しないくび部の細いドアノブにピッキング防止装置３７を取り付けるには、前記ノブプレート３９に代えて図４のノブプレート４５を用いればよい。
【００３０】
更に、図１４に示すようにドアシリンダー８９がドアノブと別の位置に取り付く構造の場合には、ドアシリンダー８９のカラー９１を持ち上げて、ドア９３との間に生じた隙間Ｓ内のシリンダー部９５にＵ字孔９７を係止してシリンダープレート９９をシリンダー部９５に取り付けた後、カラー９１を覆うように近づけたロックベース４７のノブプレート取付溝５９にシリンダープレート９９を差し込み、以下、ドアノブ３１に取り付ける場合と同様の操作で、ドアシリンダー８９のカラー９１にピッキング防止装置３７が取り付くこととなる。
【００３１】
更にまた、図１７及び図１８に示す公団（都市基盤整備公団）や都道府県の住宅供給公社等の賃貸住宅仕様では、ドアシリンダー１０１をカバー体７９で覆い乍ら、ドアノブ１０３のくび部１０７にＵ字孔１０９を係止してノブプレート１０５をくび部１０７に取り付けた後、ドアノブ１０３を覆うように近づけたロックベース４７のノブプレート取付溝５９にノブプレート１０５を差し込み、以下、図１と同様の操作によって、ドアノブ１０３にピッキング防止装置３７が取り付くこととなる。
【００３２】
以上述べたように、本実施形態に係るピッキング防止装置３７は、錠前の装着されたドアノブや、ドアノブと別の位置に取り付くドアシリンダーの何れにも装着でき、更には、握玉やくび部の寸法や形状が異なる様々な仕様のドアノブや、カラーの寸法等の異なるドアシリンダーにも対応可能であると共に、公団（都市基盤整備公団）や都道府県の住宅供給公社等の賃貸住宅のドアにも対応可能で、従来のこの種のピッキング防止装置に比し、様々な仕様に対し、一つのピッキング防止装置３７をガタ付きなく取り付けることができ、ピッキング犯罪を一つのピッキング防止装置３７で確実に防止することができる利点を有する。
【００３３】
また、図１７の賃貸住宅仕様では、ドアノブ１０３にピッキング防止装置３７を取り付けた際に突片８３が上方からの視線を遮るため、無駄な間隙が無くなって使用者に安心感を与えることができる。
尚、上記実施形態は、ロックカバー６３のロック手段にダイアル式のロック機構を用いたが、ロック手段は上記実施形態に限定されず、例えばマグネット式のロック機構等、その他のロック手段を用いてもよいことは勿論である。
【図面の簡単な説明】
【００３４】
【図１】ドアノブに取り付く請求項１乃至請求項４の一実施形態に係るピッキング防止装置の断面図である。
【図２】ノブプレートの正面図である。
【図３】ノブプレートの側面図である。
【図４】ノブプレートの正面図である。
【図５】ノブプレートの側面図である。
【図６】ロックベースの正面図である。
【図７】ロックベースの断面図である。
【図８】ロックベースの底面図である。
【図９】ヘッドプレートの正面図である。
【図１０】ヘッドプレートの平面図である。
【図１１】ロックカバーの平面図である。
【図１２】ロックカバーの側面図である。
【図１３】ロックカバーの断面図である。
【図１４】ドアシリンダーのカラーに取り付くピッキング防止装置の断面図である。
【図１５】シリンダープレートの正面図である。
【図１６】シリンダープレートの側面図である。
【図１７】ノブプレートの正面図である。
【図１８】ノブプレートの側面図である。
【図１９】錠前が装着されたドアノブの斜視図である。
【図２０】ドアシリンダーとドアノブの斜視図である。
【図２１】従来のピッキング防止装置の斜視図である。
【符号の説明】
【００３５】
３１，３１-1，１０３  ドアノブ
３３，９３，１０４  ドア
３５，１０７  くび部
３７  ピッキング防止装置
３９，４５，１０５  ノブプレート（係止プレート）
４１，４３，９７，１０９  Ｕ字孔
４７  ロックベース
４９  突片（底部）
５１  ロック孔
５３  ヘッドプレート
５５  ヘッドプレート取付溝
５７，５７-1  握玉
５９  ノブプレート取付溝（係止プレート取付溝）
６１  保持部材
６３  ロックカバー
６７  ダイアルつまみ
６９  ダイアル
７１  係止爪
７３  ダイアルシャフト
７５  基台
７７  切欠き
７９  カバー体
８１  挿入孔
８３  突片
８９，１０１  ドアシリンダー
９１  カラー
９５  シリンダー部
９９  シリンダープレート（係止プレート）
１１１  円弧部
１１３  フランジ部
【図１】
0003128791.tif 000003
【図２】
0003128791.tif 000004
【図３】
0003128791.tif 000005
【図４】
0003128791.tif 000006
【図５】
0003128791.tif 000007
【図６】
0003128791.tif 000008
【図７】
0003128791.tif 000009
【図８】
0003128791.tif 000010
【図９】
0003128791.tif 000011
【図１０】
0003128791.tif 000012
【図１１】
0003128791.tif 000013
【図１２】
0003128791.tif 000014
【図１３】
0003128791.tif 000015
【図１４】
0003128791.tif 000016
【図１５】
0003128791.tif 000017
【図１６】
0003128791.tif 000018
【図１７】
0003128791.tif 000019
【図１８】
0003128791.tif 000020
【図１９】
0003128791.tif 000021
【図２０】
0003128791.tif 000022
【図２１】
0003128791.tif 000023